(57)【要約】【課題】  非接触通信が可能で、接触通信手段を介して通信が可能な記憶媒体が近づけられた場合に、再生装置の主要な機能を利用可能なメモリーカードの情報のみを表示することで、ユーザーに必要な情報のみを提供する。【解決手段】  アンテナ１０１を介して、近接型もしくは近傍型の非接触通信を行う。このアンテナ１０１に通信相手機器が近づくと、システムコントローラ１０２は、その機器から機器情報を取得する。そして、システムコントローラ１０２は、取得した機器情報が、通信相手機器が接触通信可能な種類の記憶媒体を示していると判定した場合、表示パネルに取得した機器情報に基づく情報の表示を行なうように制御する。また、システムコントローラ１０２は、通信相手機器が接触通信可能な種類の記憶媒体ではないと判定した場合には、表示しないようにする。【選択図】  図１
2010056962.tif 000002
【特許請求の範囲】
【請求項１】
記憶媒体と接触通信する接触通信手段と、該接触通信手段を介して前記記憶媒体に格納された情報を再生する再生手段とを有する情報再生装置であって、
近接型もしくは近傍型の非接触通信を行う非接触通信手段と、
前記非接触通信手段で通信可能になった通信相手機器から機器情報を取得する取得手段と、
該取得手段で取得した機器情報が、前記通信相手機器が前記接触通信手段を介して通信可能な種類の記憶媒体を示しているか否かを判定する判定手段と、
該判定手段の判定結果に基づき、前記通信相手機器から取得した機器情報に基づく情報の表示、非表示を制御する表示制御手段と
を備えることを特徴とする情報再生装置。
【請求項２】
前記表示制御手段は、
前記機器情報で示される前記通信相手機器が、
条件１：前記接触通信手段を介して通信可能な種類の記憶媒体であることを示し、
条件２：当該記憶媒体が前記接触通信手段による情報再生のために要求されるビットレート以上のアクセス速度を有することを示す、
の上記条件１、２を満たす場合には、前記機器情報に基づき利用可を示す情報を表示し、
前記条件１を満たさない場合には非表示にする
ことを特徴とする請求項１に記載の情報再生装置。
【請求項３】
更に、前記条件１、２を満たし、前記記憶媒体内に再生すべき画像情報が存在する場合、前記画像情報のサムネイルを表示することを特徴とする請求項２に記載の情報再生装置。
【請求項４】
記憶媒体と接触通信する接触通信手段と、該接触通信手段を介して前記記憶媒体に格納された情報を再生もしくは情報の記録を行う記録再生手段とを有する情報記録再生装置であって、
近接型もしくは近傍型の非接触通信を行う非接触通信手段と、
前記非接触通信手段で通信可能になった通信相手機器から機器情報を取得する取得手段と、
該取得手段で取得した機器情報が、前記通信相手機器が前記接触通信手段を介して通信可能な種類の記憶媒体を示しているか否かを判定する判定手段と、
該判定手段の判定結果に基づき、前記通信相手機器から取得した機器情報に基づく情報の表示、非表示を制御する表示制御手段と
を備えることを特徴とする情報記録再生装置。
【請求項５】
前記表示制御手段は、
前記機器情報で示される前記通信相手機器が、
条件１：前記接触通信手段を介して通信可能な種類の記憶媒体であることを示し、
条件２：当該記憶媒体が前記接触通信手段による情報記録再生のために要求されるビットレート以上のアクセス速度を有することを示す、
の上記条件１、２を満たす場合には、前記機器情報に基づき利用可を示す情報を表示し、
前記条件１を満たさない場合には非表示にする
ことを特徴とする請求項４に記載の情報再生装置。
【請求項６】
更に、記録モード或いは再生モードのいずれであるかを判定するモード判定手段とを備え、
前記表示制御手段は、現在のモードが再生モードであって、前記記憶媒体が利用可である場合、前記記憶媒体に格納されている動画像情報のサムネイルを表示し、
前記表示制御手段は、現在のモードが記録モードであって、前記記憶媒体が利用可である場合、前記記憶媒体の空き容量に基づき、動画像の記録可能時間を表示する
ことを特徴とする請求項５に記載の情報記録再生装置。
【請求項７】
前記表示制御手段は、前記非接触通信手段で通信し、利用可と判定された記憶媒体の空き容量と、前記接触通信手段で通信可の状態にある記憶媒体の空き容量の合計容量に基づき、前記記録可能時間を算出し、表示することを特徴とする請求項６に記載の情報記録再生装置。
【請求項８】
更に撮像手段を有し、前記記録モードでは、前記撮像手段で撮像した動画像を前記接触通信手段を介して記憶媒体に記録することを特徴とする請求項４乃至７のいずれか１項に記載の情報記録再生装置。
【請求項９】
記憶媒体と接触通信する接触通信手段と、該接触通信手段を介して前記記憶媒体に格納された情報を再生する再生手段と、近接型もしくは近傍型の非接触通信を行う非接触通信手段とを有する情報再生装置の制御方法であって、
前記非接触通信手段で通信可能になった通信相手機器から機器情報を取得する取得工程と、
該取得工程で取得した機器情報が、前記通信相手機器が前記接触通信手段を介して通信可能な種類の記憶媒体を示しているか否かを判定する判定工程と、
該判定工程の判定結果に基づき、前記通信相手機器から取得した機器情報に基づく情報の表示、非表示を制御する表示制御工程と
を備えることを特徴とする情報再生装置の制御方法。
【請求項１０】
記憶媒体と接触通信する接触通信手段と、該接触通信手段を介して前記記憶媒体に格納された情報を再生もしくは情報の記録を行う記録再生手段と、近接型もしくは近傍型の非接触通信を行う非接触通信手段とを有する情報記録再生装置の制御方法であって、
前記非接触通信手段で通信可能になった通信相手機器から機器情報を取得する取得工程と、
該取得工程で取得した機器情報が、前記通信相手機器が前記接触通信手段を介して通信可能な種類の記憶媒体を示しているか否かを判定する判定工程と、
該判定工程の判定結果に基づき、前記通信相手機器から取得した機器情報に基づく情報の表示、非表示を制御する表示制御工程と
を備えることを特徴とする情報記録再生装置の制御方法。
【発明の詳細な説明】
【技術分野】
【０００１】
本発明は、記録媒体を装着し、当該記録媒体に記憶された情報を再生もしくは記録媒体に情報を記録する技術に関するものである。
【背景技術】
【０００２】
これまで、デジタルカメラ、デジタルビデオカメラ等の情報機器とメモリーカードとの通信はメモリーカードに設けられた端子部を介しての接触通信が使われている。すなわち、メモリーカードは情報機器に設けられたメモリーカードスロットに装着することで、メモリ及び装置本体の端子が電気的に結合させて、通信を行っている。
【０００３】
しかし近年、記録媒体と非接触通信を行う技術の登場により、鉄道のプリペイドカードの改札処理や、携帯電話による電子マネーの支払い等に非接触通信が広く利用されるようになっている。
【０００４】
本願発明者は、メモリーカードのような記録媒体に関しても、今後はこの非接触通信を搭載し、非接触通信によるメモリーカード情報のアクセスが一般化して行くと予想している。
【０００５】
例えば、ビデオカセットに記録された番組の番組情報を、ビデオカセットをビデオテープレコーダに装着することなく、かざすだけで表示することができるといった使い方が提案されている（特許文献１）。
【０００６】
また、デジタルカメラに対し非接触通信可能なメモリーカードを近づけた場合に、メモリーカードの残り記憶容量や、メモリーカード内の画像のサムネイルを表示するといった使い方が考えられる。特に、デジタルビデオカメラのように連続データを記録する情報機器では、動画の撮影中に使用中のメモリーカードを抜くことなく別のメモリーカードの残り記憶容量情報を表示することが出来るようになるなど、利便性の向上が期待されている。
【特許文献１】特開平１１−２０３８４８号公報
【発明の開示】
【発明が解決しようとする課題】
【０００７】
一般的に非接触通信による記録媒体へのアクセス速度は、接触通信による記録媒体へのアクセス速度に比べて遅い。従って、主要な機能は接触通信でのみ使用可能とする情報機器が多くなることが予想される。
【０００８】
一方で、情報機器が有するメモリカードスロットの個数は１つ、多くても２つ程度であり、装着（接触通信）できるメモリカードの種類も１もしくは２種類程度である。これに対して、昨今のメモリカードの種類は、多数存在する。従って、それらの全てが非接触通信機能を持つとすると、無意味な機器の情報は勿論、場合によっては接触通信できないメモリカードの情報までも表示してしまい、ユーザに混乱を与えることになる。
【０００９】
本発明は以上の問題を鑑み、接触通信可能なメモリカード等の記憶媒体が近づけられた場合にのみ、そのメモリカードに関する情報を表示することで、ユーザーに対して必要な情報のみを提供する。また、更に、主要な機能を利用できないメモリーカードを利用可能であるように間違って捉えてしまうことを防ぐ技術を提供する。
【課題を解決するための手段】
【００１０】
かかる課題を解決するため、例えば本発明の情報再生装置は以下の構成を備える。すなわち、
記憶媒体と接触通信する接触通信手段と、該接触通信手段を介して前記記憶媒体に格納された情報を再生する再生手段とを有する情報再生装置であって、
近接型もしくは近傍型の非接触通信を行う非接触通信手段と、
前記非接触通信手段で通信可能になった通信相手機器から機器情報を取得する取得手段と、
該取得手段で取得した機器情報が、前記通信相手機器が前記接触通信手段を介して通信可能な種類の記憶媒体を示しているか否かを判定する判定手段と、
該判定手段の判定結果に基づき、前記通信相手機器から取得した機器情報に基づく情報の表示、非表示を制御する表示制御手段とを備える。
【発明の効果】
【００１１】
本発明の再生装置によれば、非接触通信が可能で、接触通信手段を介して通信が可能な記憶媒体が近づけられた場合に、再生装置の主要な機能を利用可能なメモリーカードの情報のみを表示することで、ユーザーに必要な情報のみを提供することができる。
【００１２】
また、ユーザーが誤って主要な機能の利用できないメモリーカードを利用可能であると捉えることを防ぐことが可能となる。
【発明を実施するための最良の形態】
【００１３】
以下、添付図面に従って本発明に係る実施形態を詳細に説明する。
【００１４】
なお、非接触型通信としては、密着型（ＩＳＯ／ＩＥＣ１４４４３）、近接型（同１４４４３）、近傍型（同１５６９３）が知られているが、実施形態における非接触通信は密接型、もしくは近接型として説明する。
【００１５】
［第１の実施形態］
第１の実施形態では、情報機器としてデジタルビデオカメラを例に説明する。そして、このデジタルビデオカメラに、非接触通信機能を持ったメモリーカードが近づけられた場合に、デジタルビデオカメラが有するカードスロットに装着可能な種類のメモリーカードであるか否かを判定する。そして、装着可能な種類のメモリーカードであると判定した場合に、デジタルビデオカメラの表示部（液晶パネル）にそのメモリーカードの残り記憶容量で動画記録可能な時間を表示する例を示す。
【００１６】
図８（ａ），（ｂ）は第１の実施形態におけるデジタルビデオカメラの動作例であり、８０１はデジタルビデオカメラ本体、８０２はデジタルビデオカメラの表示部（実施形態では液晶パネル）、８０３は非接触通信機能を持ったメモリーカードである。図８（ａ）は、メモリーカード８０３をデジタルビデオカメラに近づける前の状態であり、液晶パネル８０２にはメモリーカードに関する情報は何も表示されていない。図８（ｂ）は、メモリーカード８０３をデジタルビデオカメラに近づけた後の状態であり、液晶パネル８０２に「このカードで３０分記録できます」というメッセージ８０４が表示部８０２に表示されている状態を示している。
【００１７】
図１は第１の実施形態におけるデジタルビデオカメラ（情報記録再生装置）のブロック構成図である。図中、１００はデジタルビデオカメラであり、撮影した動画を、カードスロットに装着された記憶媒体内（メモリーカード内）に接触通信で記録することができる。また、非接触通信機能を持ったメモリーカードが近づけられた場合には、そのカードで動画記録可能な時間を表示することができる。１０１はアンテナであり、非接触通信機能を持ったメモリーカードとの情報の送受信に使用される。１０２はデジタルビデオカメラ全体を制御するシステムコントローラであり、内部のメモリに格納されたプログラムによって動作している。１０３はメモリーカードを装着するためのカードスロットであり、メモリーカードと接触通信を行うための端子を持つ。スロットに装着されたメモリーカードには接触通信によって動画やその他データの読み書きが可能であり、特に動画の読み書きに関してはこのカードスロットを経由してのみ可能となっている。１０４は撮像部であり、光学レンズと、光学レンズによって結像される像を光電変換する光電変換素子からなっている。１０５は画像処理部であり、撮像部１０４から出力された信号をＪＰＥＧやＡＶＣＨＤ等の画像データやＮＴＳＣ等の映像信号へと変換し、カードスロット１０３へと送信したり、映像信号をビットマップ生成部１０６へ出力する。１０６はビットマップ生成部であり、画像処理部１０５によって出力された映像信号にビットマップ表示を重畳し、映像出力端子１０７や液晶パネル１０８へと出力する。１０７は映像出力端子であり、この端子に接続された外部の機器に対して、ビットマップ生成部１０６から出力された映像信号を出力する。１０８は液晶パネルであり、ビットマップ生成部１０６から出力された映像信号を表示する。１０９は操作部であり、ユーザーからの記録開始や記録終了、再生開始等の操作を受け付ける。
【００１８】
このデジタルビデオカメラ１００は、ユーザーが予めメニュー等で記録画質設定を行うことができ、動画記録に必要なビットレートを変更できるものであるとする。
【００１９】
また、このデジタルビデオカメラ１００は、動画記録モードと動画再生モードの二つの動作モードを持つ。これらのモードは、操作部１０９により設定され、且つ、いずれのモードであるかのモード判定処理はシステムコントローラ１０２が行う。
【００２０】
動画記録モードでは撮像部１０４から入力される撮像画像をリアルタイムに動画として液晶パネル１０８に表示し、操作部１０９による操作によってその動画をカードスロット１０３に装着されたメモリーカードに記録する。また、動画再生モードでは、カードスロット１０３に装着されたメモリーカードに記録されている動画を、操作部１０９による操作によって再生し、液晶パネル１０８に表示、また外部出力端子１０７に接続された機器に映像信号を出力する。
【００２１】
図２は本第１の実施形態において使用される非接触通信機能を持ったメモリーカードの構成を示すブロック図である。２００は非接触通信機能を持ったメモリーカードである。２０１はメモリー部であり、さまざまなデータを記憶することが可能である。２０２は端子であり、情報機器のカードスロットの端子と接触することにより接触通信を可能とする。２０３はアンテナであり、情報機器と非接触通信を可能としている。また、メモリーカードに読み書きする情報機器側のアンテナから発生する交流磁界により誘起される交流電圧によって、非接触通信時のメモリーカードの動作に必要な電流を供給する。実際は交流電圧を直流電圧に変換する回路を有することが一般的であるが、本発明に直接関与する点ではないため、ここでは省いている。２０４は制御部であり、端子２０２やアンテナ２０３を介して行われる通信内容を解釈し、メモリー部へのデータの読み書きを行う。なお、制御部２０４は、非接触通信時、デジタルビデオカメラ１００からの要求に従って、各種処理を行ない、その結果をデジタルビデオカメラ１００に送信する。処理の種類としては、後述するメモリカード情報保持領域に格納された情報の取得と送信、通常記憶領域に格納されたビデオデータの先頭のフレームデータの取得と送信、通常記憶領域の空き領域の算出と送信等が挙げられる。
【００２２】
図３は、本第１の実施形態において使用される非接触通信機能を持ったメモリーカード２００のメモリー部２０１のメモリマップを示している。メモリー部２０１はメモリカード外部から読み書きが可能な通常記憶領域３０１と、外部からは読み出しだけが可能なメモリカード情報保持領域３０２で構成される。このメモリカード情報保持領域には、メモリーカードメーカが、その工場から出荷する際に、メモリーカードの種類、記憶容量、読み出し速度、書き込み速度等、メモリーカードそれ自体に関する情報が書き込まれている。本第１の実施形態では、メモリーカードの種類、記憶容量、読み出し速度、書き込み速度に関する情報が、メモリカード情報保持領域３０２に格納されているものとして説明する。
【００２３】
なお、図２、図３におけるメモリーカードの構成は、本第１の実施形態における一例であって、本発明がメモリーカードの構成に限定されるものではない。
【００２４】
図４は本第１の実施形態におけるデジタルビデオカメラに非接触通信機能を持ったメモリーカードを近づけた場合の、デジタルビデオカメラのシステムコントローラ１０２の動作を表すフローチャートである。この処理は、操作部１０４より、非接触通信機能をＯＮにする操作を行った場合に実行されるものとする。
【００２５】
ステップＳ４０１では、デジタルビデオカメラの非接触通信可能な範囲（ＩＳＯ／ＩＥＣ１４４４３の近接型の非接触通信では約１０ｃｍ）内に非接触通信機能を持った機器や記録媒体が存在するかの確認を行う。そのため、ここではデジタルビデオカメラ内のアンテナ１０１に電流を流し、近傍の非接触通信可能な機器や記録媒体と通信可能な状態にする。結果、非接触通信機能を持った機器や記録媒体が存在すれば、ステップＳ４０２へ進む。存在しない場合には、再度ステップＳ４０１を繰り返す。
【００２６】
ステップＳ４０２では、ステップＳ４０１で通信を行った際の通信強度を測定する。通信強度の測定方法に関しては非接触通信の方式に応じて様々な方法があるが、本発明ではこの方法については言及しない。
【００２７】
ステップＳ４０３では、ステップＳ４０２によって測定した通信強度が予めプログラムによって決められた一定値以上であるかどうかを判断する。一定値以上であった場合には、非接触通信機能を持った機器や記録媒体と安定した通信が可能であると判断し、ステップＳ４０４へと進む。通信強度が一定値に満たない場合は、安定した通信が不可能と判断し、ステップＳ４０１へと戻る。
【００２８】
なお、このステップＳ４０３の判定結果がＹＥＳとなった時点では、通信可能になった通信相手機器がメモリカードであるとは特定できていない点に注意されたい。
【００２９】
ステップＳ４０４では、非接触通信により、非接触通信機能を持った機器や記録媒体に対して、非接触通信可能な機器の機器情報の要求を行う。通信相手機器がメモリカードの場合には、メモリーカード情報の要求通信を行うことを意味する。メモリーカード情報とは、メモリーカードのメモリーカード情報保持領域３０２に書き込まれているメモリーカードの種類、記憶容量、読み出し速度、書き込み速度を表す情報である。
【００３０】
ステップＳ４０５では、ステップＳ４０４にて機器情報が受信できると、その機器情報中にメモリカードであることを示す種類情報が含まれているので、その情報が含まれていればはじめて通信相手機器がメモリカードであると認識できる。そして、そのメモリカードの種類を示す情報から、デジタルビデオカメラのカードスロット１０３に装着可能な種類のメモリーカードかどうかを判断する。カードスロット１０３に装着可能な種類のメモリーカードであったと判定した場合には、ステップＳ４０６へ進む。カードスロット１０３に装着可能な種類のメモリーカードでなかった場合、もしくはメモリーカード情報の受信自体が出来なかった場合には、このデジタルビデオカメラでは使用できないものであると判断しここで終了となる。
【００３１】
ステップＳ４０６では、非接触通信によって、メモリーカードの通常記憶部３０１にアクセスし、ファイル管理情報の読込みを行い、残り記憶容量がどれだけあるかを取得し、ステップＳ４０７へと進む。
【００３２】
ステップＳ４０７では、現在デジタルビデオカメラに設定されている記録画質設定の記録ビットレートとステップＳ４０６で取得したメモリーカードの残り記憶容量から、現在の記録画質設定での記録可能時間を算出する。なお、記録画質が高いほど、高いビットレートが要求されるので、非接触状態で検出したメモリカードの書き込み速度が、現在の記録画質で要求される速度以上であることが必要になる。
【００３３】
ステップＳ４０８では、現在カードスロット１０３に装着中のメモリーカードがあるかどうかを判定する。装着中のメモリーカードがある場合にはステップＳ４０９へ、無い場合にはステップＳ４１０へと進む。
【００３４】
ステップＳ４０９では、画像処理部１０４から入力される映像信号にステップＳ４０７で算出した記録可能時間を、現在カードスロット１０３に装着されているメモリーカードの記録可能時間と足し合わせる。具体的には、現在カードスロット１０３に装着されているメモリーカードの空き容量と、非接触通信で得られたメモリカードの空き容量の合計容量を、記録モードの記録ビットレートで除算することで、記録可能時間を算出する。そして、算出した記録可能時間を示す情報から、ビットマップ生成部１０６によってビットマップ画像（メッセージ画像や時間を示すグラフィック等）を生成し、表示部に重畳する。重畳された映像信号は、映像出力端子１０７、液晶パネル１０８へと出力され、終了となる。
【００３５】
ステップＳ４１０では、画像処理部１０４から入力される映像信号にステップＳ４０７で算出した記録可能時間をビットマップ生成部１０６によってビットマップ画像として重畳する。重畳された映像信号は、映像出力端子１０７、液晶パネル１０８へと出力され、終了となる。
【００３６】
図５（ａ）乃至（ｃ）は第１の実施形態でのデジタルビデオカメラに非接触通信機能を持った機器、記録媒体が近づけられた場合の液晶パネルの表示例である。
【００３７】
図５（ａ）はこのデジタルビデオカメラのカードスロットに装着可能な種類のメモリーカードが近づけられた場合の表示例であり、算出した記録可能時間を「このカードで３０分記録できます」というメッセージで表示している。また、図５（ｂ）は、検出したメモリカードの書き込み速度が、現在の記録画質では書き込みできないこと示し、図５（ｃ）はメモリカードには空き領域がない場合のメッセージを示している。なお、図５（ｃ）では、具体的に空き領域がない旨のメッセージを表示しても良い。
【００３８】
以上、説明したように、本第１の実施形態の記録再生装置によれば、非接触通信機能を持った記録媒体または機器が近づけられた場合に、それがこのデジタルビデオカメラのカードスロットに装着可能な種類のメモリーカードかどうかを判別する。そして、その判別結果に基づき表示制御を行う。すなわち、装着可能なメモリーカードであった場合には、その記録可能時間を表示することで、ユーザーに対して必要な情報のみを表示することができる。また、装着不可能な記録媒体または機器であった場合には何も表示を行わない（非表示にする）ことで、使用不可能な記録媒体や機器が使用可能であるようにユーザーが誤って捉えてしまうことを防ぐことが可能となっている。
【００３９】
［第２の実施形態］
第２の実施形態では、記録再生装置としてのデジタルビデオカメラを使い、非接触通信機能を持ったメモリーカードあるいは機器がデジタルビデオカメラに近づけられた場合に、カードスロット１０３に装着可能な種類のメモリーカードであるか否かを判定する。そして、装着可能な種類のメモリーカードなければ、デジタルビデオカメラの液晶パネルにそのメモリーカードが使用できないことを警告表示する例を示す。
【００４０】
本第２の実施形態でのデジタルビデオカメラおよび非接触通信機能を持ったメモリーカードの構成は第１の実施形態と同様であるため、ここでは省略する。
【００４１】
図６は本第２の実施形態における記録再生装置としてのデジタルビデオカメラに非接触通信機能を持ったメモリーカードまたは機器を近づけた場合のデジタルビデオカメラのシステムコントローラ１０２の動作を表すフローチャートである。この処理は、操作部１０４より、記録モードもしくは再生モードにおいて、非接触通信機能をＯＮにする操作を行った場合に実行されるものとする。
【００４２】
ステップＳ６０１では、デジタルビデオカメラの非接触通信可能な範囲に非接触通信機能を持った機器や記録媒体が存在するかの確認を行う。そのため、ここではデジタルビデオカメラ内のアンテナ１０１に電流を流し、近傍の非接触通信可能な機器や記録媒体と通信可能な状態にする。結果、非接触通信機能を持った機器や記録媒体が存在すれば、ステップＳ６０２へ進む。存在しない場合には、再度ステップＳ６０１を繰り返す。
【００４３】
ステップＳ６０２では、ステップＳ６０１で通信を行った際の通信強度を測定する。通信強度の測定方法に関しては非接触通信の方式に応じて様々な方法があるが、本発明ではこの方法については言及しない。
ステップＳ６０３では、ステップ６０２によって測定した通信強度が予めプログラムによって決められた一定値以上であるかどうかを判断する。一定値以上であった場合には、非接触通信機能を持った機器や記録媒体と安定した通信が可能であると判断し、ステップＳ６０４へと進む。通信強度が一定値に満たない場合は、安定した通信が不可能と判断し、ステップＳ６０１へと戻る。
【００４４】
ステップＳ６０４では、非接触通信により、非接触通信機能を持った機器や記録媒体に対して、非接触通信可能なメモリーカードに対するメモリーカード情報の要求通信を行う。メモリーカード情報とは、メモリーカードのメモリーカード情報保持領域３０２に書き込まれているメモリーカードの種類、記憶容量、読み出し速度、書き込み速度を表す情報である。
【００４５】
ステップＳ６０５では、ステップＳ６０４にてメモリーカード情報が受信できれば、その中のメモリーカードの種類を表す情報からデジタルビデオカメラのカードスロット１０３に装着可能な種類のメモリーカードかどうかを判断する。カードスロット１０３に装着可能な種類のメモリーカードであった場合には、ここで終了となる。カードスロット１０３に装着可能な種類のメモリーカードでなかった場合、もしくはメモリーカード情報の受信自体が出来なかった場合には、このデジタルビデオカメラでは使用できないものであると判断しステップＳ６０６へと進む。
【００４６】
ステップＳ６０６では、ステップＳ６０５にて、非接触通信を行った機器、記録媒体がカードスロット１０３に装着可能な種類のメモリーカード以外のものである、と判断されたため、ユーザーに使用不可能なものであることを警告する。本実施形態では、画像処理部１０４から入力される映像信号に「対応メモリーカードではありません」という警告文をビットマップ生成部１０６によってビットマップ画像として重畳する。重畳された映像信号は、映像出力端子１０７、液晶パネル１０８へと出力され、終了となる。
【００４７】
図５（ｂ）はこのデジタルビデオカメラのカードスロットに装着できない種類のメモリーカード、又はメモリーカード以外の非接触通信機能を持った機器が近づけられた場合の表示例である。図示の通り、「対応メモリーカードではありません」というメッセージを表示することで、ユーザーにその記録媒体、機器は使用できないことを通知している。
【００４８】
以上、説明したように、本第２の実施形態の記録再生装置では、非接触通信機能を持った記録媒体または機器が近づけられた場合に、それがこのデジタルビデオカメラのカードスロットに装着可能な種類のメモリーカードかどうかを判別する。そして、装着可能なメモリーカードでなかった場合には警告メッセージを表示することで、使用不可能な記録媒体や機器が使用可能であるようにユーザーが誤って捉えてしまうことを防ぐことが可能となっている。
【００４９】
［第３の実施形態］
第３の実施形態では、記録再生装置としてのデジタルビデオカメラを使い、非接触通信機能を持ったメモリーカードあるいは機器がデジタルビデオカメラに近づけられた場合に、カードスロットに装着可能な種類のメモリーカードであるか否かを判定する。また、デジタルビデオカメラが再生モードであるか記録モードであるかについても判定する。そして再生モードである場合には、カードの読込み速度が動画再生可能な速度以上の場合に動画のサムネイルを表示し、記録モードの場合にはカードの書き込み速度が動画記録可能な速度以上である場合に記録可能時間を表示する例を示す。
【００５０】
第３の実施形態におけるデジタルビデオカメラおよび非接触通信機能を持ったメモリーカードの構成は第１の実施形態と同様であるため、ここでは省略する。
【００５１】
図７は本第３の実施形態における記録再生装置としてのデジタルビデオカメラに非接触通信機能を持ったメモリーカードまたは機器を近づけた場合のデジタルビデオカメラのシステムコントローラ１０２の動作を表すフローチャートである。
【００５２】
ステップＳ７０１では、デジタルビデオカメラの非接触通信可能な範囲に非接触通信機能を持った機器や記録媒体が存在するかの確認を行う。そのため、ここではデジタルビデオカメラ内のアンテナ１０１に電流を流し、近傍の非接触通信可能な機器や記録媒体と通信可能な状態にする。結果、非接触通信機能を持った機器や記録媒体が存在すれば、ステップＳ７０２へ進む。存在しない場合には、再度ステップＳ７０１を繰り返す。
【００５３】
ステップＳ７０２では、ステップＳ７０１で通信を行った際の通信強度を測定する。通信強度の測定方法に関しては非接触通信の方式に応じて様々な方法があるが、本発明ではこの方法については言及しない。
【００５４】
ステップＳ７０３では、ステップＳ７０２によって測定した通信強度が予めプログラムによって決められた一定値以上であるかどうかを判断する。一定値以上であった場合には、非接触通信機能を持った機器や記録媒体と安定した通信が可能であると判断し、ステップＳ７０４へと進む。通信強度が一定値に満たない場合は、安定した通信が不可能と判断し、ステップＳ７０１へと戻る。
【００５５】
ステップＳ７０４では、非接触通信により、非接触通信機能を持った機器や記録媒体に対して、非接触通信可能なメモリーカードに対するメモリーカード情報の要求通信を行う。メモリーカード情報とは、メモリーカードのメモリーカード情報保持領域３０２に書き込まれているメモリーカードの種類、記憶容量、読み出し速度、書き込み速度を表す情報である。
【００５６】
ステップＳ７０５では、ステップＳ７０４にてメモリーカード情報が受信できれば、その中のメモリーカードの種類を表す情報からデジタルビデオカメラのカードスロット１０３に装着可能な種類のメモリーカードかどうかを判断する。カードスロット１０３に装着可能な種類のメモリーカードであった場合には、ステップＳ７０６へと進む。カードスロット１０３に装着可能な種類のメモリーカードでなかった場合、もしくはメモリーカード情報の受信自体が出来なかった場合には、このデジタルビデオカメラでは使用できないものであると判断しステップＳ７１６へと進む。
【００５７】
ステップＳ７０６では、デジタルビデオカメラのモードが再生モードになっているかどうかを判定する。再生モードになっている場合にはステップＳ７０７へ、なっていない場合には記録モードになっていると判断し、ステップＳ７１１へと進む。
【００５８】
ステップＳ７０７では、このデジタルカメラで再生可能な動画フォーマットの最低限必要なビットレートと、ステップＳ７０４にて得られた非接触通信を行ったメモリーカードの読み出し速度を比較する。そして、メモリーカードの読み出し速度が最低限必要なビットレート以上の場合には、このメモリーカードからの動画再生が可能であると判断し、ステップＳ７０８へと進む。メモリーカードの読み出し速度が最低限必要なビットレートより遅い場合には、このメモリーカードからの動画再生が不可能であると判断し、ステップＳ７１０へと進む。
【００５９】
ステップＳ７０８に処理が進むのは、上記の通り、メモリカードから非接触通信で取得した機器情報が、
条件１：前記接触通信手段を介して通信可能な種類の記憶媒体であることを示し、
条件２：当該記憶媒体が前記接触通信手段による情報再生のために要求されるビットレート以上のアクセス速度を有することを示す、
の２つの条件を満たす場合である。
【００６０】
そこで、ステップＳ７０８では、メモリーカードと非接触通信を行うことによって、メモリーカード内の最後に記録された動画像情報の先頭の１フレームのサムネイルを読み出し、ステップＳ７０９へと進む。
【００６１】
ステップＳ７０９では、ステップＳ７０８で読み出したサムネイルを画像処理部１０５によって復号し、液晶パネル１０８によって表示、映像出力端子１０７に出力され、終了となる。このときの液晶パネルの表示例を図５（ｄ）に示す。つまり、ユーザに、対して、このメモリカードをカードスロットに装着した場合に再生できる動画像を示すことができる。
【００６２】
ステップＳ７１０では、ステップＳ７０７によってこのメモリーカードでは動画再生不可能であると判断されたため、ビットマップ生成部１０６によって「このカードでは再生できません」というメッセージを生成する。そそて、そのメッセージ（のビットマップ）を、液晶パネル１０８に表示、映像出力端子１０７に出力し、本処理を終了する。このときの液晶パネルの表示例を図５（ｅ）に示す。
【００６３】
ステップＳ７１１では、現在デジタルカメラに設定されている記録画質設定に必要なビットレートと、ステップＳ７０４にて得られた非接触通信を行ったメモリーカードの書き込み速度を比較する。そして、メモリーカードの書き込み速度が、現在の記録画質に必要なビットレート以上の場合には、このメモリーカードへの動画記録が可能であると判断し、ステップＳ７１２へと進む。また、メモリーカードの書き込み速度が必要なビットレートより遅い場合には、このメモリーカードへの動画記録が不可能であると判断し、ステップＳ７１５へと進む。
【００６４】
ステップＳ７１２では、非接触通信によって、メモリーカードの通常記憶部３０１にアクセスし、ファイル管理情報の読込みを行い、残り記憶容量がどれだけあるかを取得し、ステップＳ７１３へと進む。
【００６５】
ステップＳ７１３では、現在デジタルビデオカメラに設定されている記録画質設定の記録ビットレートとステップＳ７１２で取得したメモリーカードの残り記憶容量から、現在の記録画質設定での記録可能時間を算出する。
【００６６】
ステップＳ７１４では、画像処理部１０４から入力される映像信号にステップＳ７１３で算出した記録可能時間をビットマップ生成部１０６によってビットマップ画像として重畳する。重畳された映像信号は、映像出力端子１０７、液晶パネル１０８へと出力され、終了となる。このときの液晶パネルの表示例を図５（ａ）に示す。
【００６７】
ステップＳ７１５は、ステップＳ７１１によってこのメモリーカードでは動画記録不可能であると判断された場合の処理である。ここでは、ビットマップ生成部１０６によって「このカードでは記録できません」というメッセージを生成し、液晶パネル１０８に表示、映像出力端子１０７に出力し、本処理を終了する。このときの液晶パネルの表示例を図５（ｃ）に示す。
【００６８】
ステップＳ７１６では、ステップＳ７０５にて、非接触通信を行った機器、記録媒体がカードスロット１０３に装着可能な種類のメモリーカード以外のものである、と判断されたため、ユーザーに使用不可能なものであることを警告する。本第３の実施形態では、画像処理部から出力される映像信号に「対応メモリーカードではありません」という警告文をビットマップ生成部１０６によってビットマップ画像として重畳する。重畳された映像信号は、映像出力端子１０７、液晶パネル１０８へと出力され、終了となる。このときの液晶パネルの表示例を図５（ｂ）に示す。
【００６９】
上記第１乃至第３の実施形態では、記録媒体の書込み速度によって動画記録不可能であることを判断した。この他にもＳＤカード等に具備されているメモリーカードのプロテクトスイッチが有効になっているか否かの情報を機器情報として、非接触通信によって取得しても良い。この場合、もしスイッチが書き込み不可能位置になっている場合には動画記録不可能であると判断し、それを表示しても良い。
【００７０】
また、本実施形態ではメモリーカードがデジタルビデオカメラに近づけられた場合に、記録可能および再生可能と判断されなかった場合、そのメモリーカードが使用できないことを警告メッセージ表示によって通知した。しかし、その場合には何も表示しないようにしても良い。
【００７１】
また、実施形態では、カードスロットに装着できるメモリカードであっても、現在設定されている記録画質が要求するビットレートに満たない場合、そのメモリカードには記録できない旨を表示した。しかし、記録画質モードが複数存在し、その中に、そのメモリカードの書き込み速度以下の、記録画質があれば、その記録画質とその場合の記録可能時間を表示しても構わない。
【００７２】
以上、説明したように、本実施形態によれば、記録再生装置に、非接触通信機能を持った記録媒体または機器が近づけられた場合に、その近づけられた非接触通信機能を持った記録媒体または機器がこのデジタルビデオカメラの機能を使用できる場合にのみ記録された動画のサムネイルや記録可能時間を表示する。この結果、ユーザーに必要な情報のみを提供することができる。このデジタルビデオカメラの機能を使用できない場合には警告メッセージを表示することで使用不可能な記録媒体や機器が使用可能であるようにユーザーが誤って捉えてしまうことを防ぐことが可能となる。
【図面の簡単な説明】
【００７３】
【図１】実施形態であるデジタルビデオカメラのブロック構成図である。
【図２】実施形態における非接触通信機能を持ったメモリーカードのブロック構成図である。
【図３】実施形態における非接触通信機能を持ったメモリーカードのメモリマップを示す図である。
【図４】第１の実施形態におけるデジタルビデオカメラのシステムコントローラの処理内容を示すフローチャートである。
【図５】実施形態におけるデジタルビデオカメラの表示部への表示例を示す図である。
【図６】第２の実施形態におけるデジタルビデオカメラのシステムコントローラの処理内容を示すフローチャートである。
【図７】第３の実施形態におけるデジタルビデオカメラのシステムコントローラの処理内容を示すフローチャートである。
【図８】実施形態におけるデジタルビデオカメラにメモリカードを近づける前と後の表示例を示す図である。
【図１】
2010056962.tif 000003
【図２】
2010056962.tif 000004
【図３】
2010056962.tif 000005
【図４】
2010056962.tif 000006
【図５】
2010056962.tif 000007
【図６】
2010056962.tif 000008
【図７】
2010056962.tif 000009
【図８】
2010056962.tif 000010